(57)【特許請求の範囲】
【請求項１】
加入者宅内設備装置のＷｉ−Ｆｉノードの無線リンクを監視する方法であって、前記Ｗｉ−Ｆｉノードは送信／受信バッファを有する物理層、および、Ｗｉ−Ｆｉ監視アプリケーションを含むＷｉ−Ｆｉソフトウェア・ドライバを含み、
前記Ｗｉ−Ｆｉ監視アプリケーションが、前記物理層のトラフィックを監視し、前記Ｗｉ−Ｆｉ監視アプリケーションが、前記送信／受信バッファを通過するトラフィックであって、前記Ｗｉ−Ｆｉノードによって受信されるパケットおよび送信されるパケットに対応するトラフィックを複製することであって、複製される受信パケットおよび複製される送信パケットのタイム・スタンプを含めることで前記トラフィックを複製することと、
前記複製したパケットを監視ユニットに送ることと、
を有する、前記方法。
【請求項２】
絶対的なパケット・タイミングを含む前記Ｗｉ−Ｆｉノードの正確なパケット交換を取得するために、前記Ｗｉ−Ｆｉソフトウェア・ドライバのＲｘ／Ｔｘ制御を含めることによって前記パケットを複製することを有する、請求項１に記載の方法。
【請求項３】
前記監視ユニットに送る前に、前記加入者宅内設備装置内で複製したパケット・ストリームの各パケットに対応するデータを単一ＩＰフレームにカプセル化することを有する、請求項１又は２に記載の方法。
【請求項４】
前記送信／受信バッファを通過するトラフィックであって、前記受信パケットの全ておよび前記送信パケットの全てに対応する前記トラフィックを複製し、前記複製した受信パケットおよび送信パケットの全てを前記監視ユニットに送ることを有する、請求項１から３のいずれかに記載の方法。
【請求項５】
前記複製した受信パケットおよび送信パケットを、並列パケット・ストリームとして監視ユニットに送ることを有する、請求項１から４のいずれかに記載の方法。
【請求項６】
前記複製したパケットを、前記加入者宅内設備装置のディジタル加入者線接続を介して、ネットワーク・サービス・プロバイダの監視ユニットに送ることを有する、請求項１から５のいずれかに記載の方法。
【請求項７】
Ｗｉ−Ｆｉノードの無線リンクを監視することができる加入者宅内設備装置であって、前記Ｗｉ−Ｆｉノードは、前記加入者宅内設備装置に実装され、前記Ｗｉ−Ｆｉノードは送信／受信バッファを有する物理層、および、Ｗｉ−Ｆｉ監視アプリケーションを含むＷｉ−Ｆｉソフトウェア・ドライバを含み、前記加入者宅内設備装置は、
前記Ｗｉ−Ｆｉ監視アプリケーションが、前記物理層のトラフィックを監視し、前記送信／受信バッファを通過するトラフィックであって、前記Ｗｉ−Ｆｉノードによって受信されるパケットおよび送信されるパケットに対応するトラフィックを複製することであって、複製される受信パケットおよび複製される送信パケットのタイム・スタンプを含めることで前記トラフィックを複製し、
前記複製したパケットを監視ユニットに送る
よう構成されたプロセッサを備える、加入者宅内設備装置。
【請求項８】
前記プロセッサは、絶対的なパケット・タイミングを含む前記Ｗｉ−Ｆｉノードの正確なパケット交換を取得するために、前記Ｗｉ−Ｆｉソフトウェア・ドライバのＲｘ／Ｔｘ制御を含めることによって前記パケットを複製するようさらに構成される、請求項７に記載の加入者宅内設備装置。
【請求項９】
前記プロセッサは、前記監視ユニットに送る前に、前記加入者宅内設備装置内で前記複製したパケット・ストリームの各パケットに対応するデータを単一ＩＰフレームにカプセル化するよう構成される、請求項７又は８に記載の加入者宅内設備装置。
【請求項１０】
前記プロセッサは、前記送信／受信バッファを通過するトラフィックであって、前記受信パケットの全ておよび前記送信パケットの全てに対応する前記トラフィックを複製し、前記複製した受信パケットおよび送信パケットの全てを監視ユニットに送るよう構成される、請求項７、８又は９に記載の加入者宅内設備装置。
【請求項１１】
前記加入者宅内設備装置は、住宅用ゲートウェイ、ルータ、スイッチ、セット・トップ・ボックス又は他のＷｉ−Ｆｉ加入者宅内設備装置である、請求項７、８、９又は１０に記載の加入者宅内設備装置。
【発明の詳細な説明】
【技術分野】
【０００１】
本発明は、ＩＰインターフェースに、例えば、ディジタル加入者線を介してサービス・プロバイダに結合されたＷｉ−Ｆｉノードを含む加入者宅内設備装置の分野に関する。
【背景技術】
【０００２】
住宅用ゲートウェイは、家庭で装置をインターネットや他の広域ネットワーク（ＷＡＮ）に接続するために広く用いられる。住宅用ゲートウェイは、銅線や光線路を介して高データレート転送を可能にする特定のディジタル加入者線（ＤＳＬ）技術において使用する。数年間、いくつかのＤＳＬ標準は、データレートおよび帯域が異なって構築され、例えば、ｘＤＳＬという文脈で参照されるＡＤＳＬおよびＶＤＳＬがある。インターネットサービスのための光伝送、例えば、ファイバ−トゥ−ザ−ホーム（ＦＴＴＨ）およびファイバ−トゥ−ザ−プレマイズ（ＦＴＴＰ）もよく知られている。住宅用ゲートウェイは、ルータ、スイッチ、電話およびセット・トップ・ボックスのような他の装置も、加入者宅内設備（ＣＰＥ）という文脈で理解される。
【０００３】
無線技術を含む住宅用ゲートウェイは、今日の家庭およびプロフェッショナル環境において重要な役割を担う。無線装置をローカルエリアネットワーク（ＬＡＮ）に接続するメカニズムは、Ｗｉ−Ｆｉと呼ばれ、このＷｉ−Ｆｉは、無線データ伝送の標準のＩＥＥＥ  ８０２．１１ファミリーを使用する装置のためのＷｉ−Ｆｉアライアンスのブランド名である。ＩＥＥＥ  ８０２．１１標準は、２つのタイプの無線ノードである、局（ＳＴＡと表示される）と呼ばれる他の装置と接続することができる一般的な無線装置と、ネットワークを制御している特別なタイプのＳＴＡ、つまりアクセスポイント（ＡＰと表示される）とを規定している。Ｗｉ−Ｆｉネットワークは、しばしばＷＬＡＮ（無線ローカルエリアネットワーク）と呼ばれ、ＡＰと接続された１つ又はいくつかのＳＴＡを持つＡＰを構成する。
【０００４】
柔軟で「見えない」という特性に起因して、多くのＬＡＮアプリケーションは、典型的な有線イーサネット・アプローチよりもＷｉ−Ｆｉを利用している。この無線ＬＡＮの使用の普及は、しかし、共有されたメディア技術を利用することの深刻な負の側面、干渉という課題を顕在化させている。干渉は、Ｗｉ−Ｆｉと非Ｗｉ−Ｆｉの両方が関係し、８０２．１１の特性に起因して劣化したユーザ体験を引き起こす。最も一般的な形態では、ＩＥＥＥ  ８０２．１１ネットワークは、メディアが使用されていることを検出することで衝突が回避されるメディア・アクセス方法（ＣＳＭＡ−ＣＡと表される）を適用する。そのメディア・アクセス方法は、この方法の本質を言い表す、”listen before talk”としても一般的に知られる。ある特徴に由来する干渉は、メディアを遮り、全てのノードを通信できなくすることができる。
【０００５】
従って、特定の状況において、Ｗｉ−Ｆｉ接続は、貧弱なパフォーマンスおよび均一な接続損失さえ被る可能性がある。こうした状況のいくつかは、明らかであり、エンドユーザに説明することが容易である。例えば、局とアクセスポイントとの間の距離が大きい場合、信号レベルは低く、パフォーマンスは低下する。他の状況は「見えず」、エンドユーザによって理解されない、例えば、隠れノードである。隠れノードは、ネットワークのノードの一部では見えず、無線でのパケットの衝突／破損を引き起こす可能性があるＣＳＭＡ−ＣＡ方法の実質上の失敗を引き起こす。多くの場合、エンドユーザは問題の原因の診断およびその問題の是正をすることができない。
【０００６】
家庭内Ｗｉ−Ｆｉネットワークの接続性は、主要なインターネット・サービス・プロバイダのサポートコストの相応の１つであり、ヘルプ−デスク・コールの要因である。今日のオペレータの焦点は、主に、局とアクセスポイントとを結び付ける、Ｗｉ−Ｆｉネットワークのインストールにある。インターネット・サービス・プロバイダは、そのため、リンク品質およびパフォーマンスを含むエンドユーザの無線環境を良く理解するための方法を模索している。Ｗｉ−Ｆｉパフォーマンスに関して、オペレータは、ブロードバンド・フォーラム（ＢＢＦ）ＴＲ−０６９などのリモート管理プロトコルを使用することができ、インターネット・ゲートウェイ・デバイス・データモデルＢＢＦ  ＴＲ−１８１において定められたＷｉ−Ｆｉパラメータへのアクセスを提供する。しかし、ＴＲ−０６９を介して利用可能な情報は、とても限定的で、データトラフィックに集中している。あるケースでは、エンドユーザは、Ｗｉ−Ｆｉ接続から完全に阻まれる問題に直面し、それに応じたＴＲ−０６９モニタリングの提供は役に立たない。そのため、エンドユーザがヘルプ−デスクを呼ぶとき、ホーム・トポロジーを説明し、目の前の問題を診断することは、長時間で高くつく作業になる可能性がある。
【０００７】
Ｗｉ−Ｆｉの問題、例えば、接続設定、干渉、スループット、．．．を分析する望ましい方法は、無線ＬＡＮのマスター・ノード、すなわちＡＰを調べることである。ＡＰは、ＩＥＥＥ８０２．１１において定められているように、ネットワークを制御し、従って、全データおよびネットワーク制御がＡＰによって見えるようでなければならない。ＡＰは、今日、パケット伝送および信号レベルに関する統計を提供することができるが、それが可能なのは、ＡＰとＳＴＡとの間のリンクが構築可能な場合のみである。なぜリンクが切れるか、又はなぜスループットが低いか、という真の問題は、ＡＰ内部に隠されたままである。全パケット検査は不可能であり、従って、無線ＬＡＮにおける真の問題を特定することになると、技術又はプロトコルを分析する人にとって分からないままである。今日、良くても、ＡＰは統計を提供することはできるが、実際にネットワークで何が起きているかを知ることはできない。
【０００８】
Ｗｉ−Ｆｉネットワークを分析する人が本当に関心のあることは、８０２．１１管理および制御パケットを含む、ＡＰとクライアントＳＴＡとの間の全パケット交換である。イーサネット（登録商標）においては、このパケット・キャプチャ方法が存在し、とてもありふれたことである。イーサネット・カードは、“無差別モード”にすることができる。このモードは、パケット・ストリームを分析することができるサード・パーティ製ソフトウェア（例えばＷｉｒｅｓｈａｒｋ）に対して、イーサネット・ハードウェアの送信／受信キューへの直接的で、透過的なアクセスを実際に可能にする。しかし、このソフトウェアは、低レベル・イーサネット・トラフィックを可視化することができないが、物理層についてのトラフィックのみ可視化することができる。イーサネットに関して、このレベルの分析は、それ自身が安定的な物理メディアなので十分である。それにもかかわらず、イーサネットでも、リンク速度ネゴシエーション又は二重通信検出（duplex detection）に失敗した場合、“さらなる情報”を必要とする。無線ネットワークでは、多くのそのような問題は非常に大きく、従って、報告されるデータ・リンクへの影響が存在している理由を理解するために、低レイヤ・プロトコル交換を特に調べる必要性が存在する。
【０００９】
特許文献１は、リモート・マルチメディア信号の監視の集中型システムを開示しており、そのシステムは、複数の加入者宅内設備を含むＩＰパケット電気通信ネットワークを介して分配されたサービスの品質を監視および評価する。そのような加入者宅内機器の１つは、ＩＰを介したデータ、音声および映像などのマルチメディア・コンテンツを受信し易い線を介して、ディジタル加入者線アクセス多重化装置などのゲートウェイに接続できる。そのコンテンツは、アクセス多重化装置に戻り線を介してすぐに戻される。
【００１０】
特許文献２は、リモート・プローブ（remote probe）を用いた無線ネットワークにおけるリモート監視のシステムおよび方法を開示している。アクセスポイントは、無線クライアントを無線スイッチにリンクさせる。リモート・プローブは、無線パケットをキャプチャし、無線情報を付加し、分析のためパケットをリモート・オブザーバに転送する。一実施形態では、オブザーバは、プロトコル−レベルのデバッグを提供することができる。
【先行技術文献】
【特許文献】
【００１１】
【特許文献１】米国特許第８１０２８６６号明細書
【特許文献２】米国特許第７５７３８５９号明細書
【発明の概要】
【課題を解決するための手段】
【００１２】
加入者宅内設備装置のＷｉ−Ｆｉノードの無線リンクを監視する方法は、送信／受信バッファを通る受信パケットおよび送信パケットを複製し、複製したパケットを監視ユニットに渡すステップを有する。全パケットは、特に、加入者宅内設備装置のＷｉ−Ｆｉソフトウェア・ドライバのＲｘ／Ｔｘ制御を含んで、パケット・タイミングを含むＷｉ−Ｆｉノードの正確なパケット交換を得ることにより、複製される。
【００１３】
好ましい実施形態では、複製したパケット・ストリームの各パケットは、ＩＰストリームとして監視ユニットに転送される前に、加入者宅内設備装置内で、単一ＩＰ−フレームに、カプセル化される。
【００１４】
この方法は、本発明の一態様において、送信／受信バッファを通る全ての受信パケットだけでなく全ての送信パケットを複製し、全ての複製したパケットを監視ユニットに渡すステップを含む。複製した受信および送信パケットは、並列パケット・ストリームとして有利に監視ユニットに渡される。複製したパケットは、特に、加入者宅内設備装置のディジタル加入者線接続を介してネットワーク・サービス・プロバイダの監視ユニットに送られる。
【００１５】
本発明のさらなる態様において、加入者宅内設備装置のＷｉ−Ｆｉノードの無線リンクを監視する方法は、送信／受信バッファを通るＷｉ−Ｆｉパケットを複製し、複製したパケットを監視ユニットに渡すステップを含む。
【００１６】
加入者宅内設備装置は、Ｗｉ−Ｆｉソフトウェア・ドライバおよび送信／受信バッファを有する物理層、送信／受信バッファを通るパケットを複製するＷｉ−Ｆｉ監視アプリケーション、および複製したパケットをＩＰストリームによって監視ユニットに渡す監視データ・パスを含むＷｉ−Ｆｉノードを備える。加入者宅内設備装置は、特に、住宅用ゲートウェイ、ルータ、スイッチ、セット・トップ・ボックス又は他のＷｉ−Ｆｉ加入者宅内設備装置であり、ディジタル加入者線などのＩＰインターフェースに、又はブロードバンド・サービスを提供するサービス・プロバイダ、ローカル・エリア・ネットワーク（ＬＡＮ）に接続するよう設計される。
【図面の簡単な説明】
【００１７】
【図１】Ｗｉ−Ｆｉソフトウェア・ドライバおよび物理層を備えたＷｉ−Ｆｉノードを含む住宅用ゲートウェイの詳細を示す図である。
【図２】有線イーサネット接続を介してデバッグ用端末に接続された場合の住宅用ゲートウェイを示す図である。
【発明を実施するための形態】
【００１８】
以下の記載において、加入者宅内設備装置のＷｉ−Ｆｉノードの無線（Ｗｉ−Ｆｉ）リンクを監視する例示的方法について述べる。説明を目的として、様々な具体的詳細は、望ましい実施形態の完全な理解を与えるために説明される。しかし、本発明は、これらの特定の詳細な説明無しに実施することができることは当業者には明らかになる。
【００１９】
加入者宅内設備（ＣＰＥ）装置は、例えば、マイクロプロセッサなどのコントローラ、ＣＰＥ装置の操作のための不揮発性メモリ、ｘＤＳＬ接続などの無線操作およびブロードバンド接続のためのＷｉ−Ｆｉノードである。Ｗｉ−Ｆｉノードは、複合ソフトウェア・ドライバ、データ・バッファを有する物理層およびアンテナを含む。この種のＣＰＥ装置は、例えば、無線ローカル・エリア・ネットワーク（ＷＬＡＮ）内で中心的位置にある住宅用ゲートウェイである。
【００２０】
Ｗｉ−Ｆｉノードは、Ｗｉ−Ｆｉノードの動作中に多くのバックグラウンド・タスクを実行するソフトウェア・ドライバによって制御される。バックグラウンド・タスクは、例えば、動的速度適応、パケット集約、チャネル品質監視などである。信号操作に加えて、Ｗｉ−Ｆｉドライバは、関連するＩＥＥＥが規定した管理および制御メッセージングを有する８０２．１１プロトコル・スタックも実施する。従って、Ｗｉ−Ｆｉドライバは、データストリーム内の多くの管理パケットおよび制御パケットを投入し、データ・フレームの交換のみを透過的に調べることによってリンクを分析することを不可能にする。
【００２１】
物理層、ＯＳＩモデルのレイヤ０、住宅用ゲートウェイのＷｉ−Ｆｉノードによって送信され、および受信されたトラフィックを監視するために、住宅用ゲートウェイは、本発明に従って、全ての受信されたおよび送信されたパケットを監視ユニットに送るＷｉ−Ｆｉ監視アプリケーションを含む。監視ユニットは、ＬＡＮ又はＷＡＮ内のどこからでもアクセス可能である。Ｗｉ−Ｆｉ監視アプリケーションは、Ｗｉ−Ｆｉドライバ内のソフトウェア・モジュールとして理解され得る。Ｗｉ−Ｆｉ監視アプリケーションは、Ｗｉ−ＦｉノードのＴｘ／Ｒｘバッファを使用して、並列モニタ・ストリーム内の実際のデータ・リンクを複製する。このストリームは、例えば、全ての複製した受信パケットおよび送信パケットのタイム・スタンプを含むことによって、Ｗｉ−Ｆｉネットワークにおける正確なパケット交換のタイミングおよび絶対的なタイミングを含む。住宅用ゲートウェイに実装されたＡＰは、Ｗｉ−Ｆｉネットワークの中心であり、一般に、ＷＡＮおよび複数のＬＡＮインターフェースに接続される。監視ストリームは、リモート監視ユニットに容易に転送可能である。
【００２２】
Ｗｉ−Ｆｉ監視アプリケーションは、下記のブロックへのアクセスを有する。
【００２３】
−送信パケット・キュー
−受信パケット・キュー
−送信／受信信号インジケータ
Ｗｉ−Ｆｉ監視アプリケーションは、いかなるＷｉ−Ｆｉパケットも単一ＩＰフレームにカプセル化する上で有利に構成される。物理層キューに存在する全てのパケットは、それらの個別の機能又はネットワークでの役割に関わりなく、カプセル化される。Ｗｉ−Ｆｉパケット全体は、ＩＰフレームのデータ・ペイロードとして考えられ、ＩＰフレームのソース／宛先アドレスは、Ｗｉ−Ｆｉパケット・ストリームを要求するユーザによって構成される。Ｗｉ−Ｆｉパケットは、受信又は送信されるのと全く同じ順序で正確に監視ストリームに置かれ、従って、正確に同じインター・パケット・タイミングでＷｉ−Ｆｉリンク上のパケット又はフレームを複製する。従って、この方法は、Ｗｉ−Ｆｉパケットが送信／受信バッファを通るとき、この時間に対応したタイミングで、Ｗｉ−Ｆｉパケット・ストリームを監視ユニットに転送することを可能にする。Ｗｉｒｅｓｈａｒｋおよび改良された「パケット・ディセクタ（packet dissector）」の使用を通じて、Ｗｉ−Ｆｉパケット・ストリームの内容および構造は分析され得る。
【００２４】
本発明の望ましい実施形態は、図１に描かれており、Ｗｉ−Ｆｉソフトウェア・ドライバ２、住宅用ゲートウェイ１の物理層３およびアンテナ４を示している。物理層３は、受信パスおよび送信パス用のデータ・バッファ５、６、Ｔｘ／Ｒｘ制御９を介してＷｉ−Ｆｉソフトウェア・ドライバ２によって制御されるスイッチ・マトリクス７、ならびにＷｉ−Ｆｉハードウェア・ドライバ８を含む。本発明に従って、Ｗｉ−Ｆｉソフトウェア・ドライバ２は、Ｗｉ−Ｆｉ監視アプリケーション１０を含み、それは送受信ハードウェア・バッファ５、６を通るデータトラフィックを複製し、このデータストリームを監視データ・パス１１によって外部監視ユニット、例えばデバッグ用端末に送る。監視データ・パス１１は、例えば８０２．１ｄブリッジ１２に接続され、データ・パケットを例えばＬＡＮサイド・ネットワーク１３に、又はｘＤＳＬルータ１４を介してワイド・エリア・サイド・ネットワーク１５に送る。
【００２５】
望ましい実施形態において、住宅用ゲートウェイ１は、図２に示すように、有線イーサネット接続２１を介してデバッグ用端末２０に接続される。Ｗｉ−Ｆｉ監視アプリケーション１０は、図１に関して説明したように、物理層３のハードウェア・バッファを通るＷｉ−Ｆｉパケット・ストリームの複製したパケット・ストリームを送る。複製したパケット・ストリームの各パケットは、住宅用ゲートウェイ１内でＷｉ−Ｆｉソフトウェア・ドライバ２によって単一ＩＰ−フレーム２２にカプセル化される。各パケットは、すぐに８０２．１ｄブリッジ１２およびルータ１４を介してデバッグ用端末２０に送信される。デバッグ用端末２０において、Ｗｉ−Ｆｉソフトウェア・ドライバ２によって提供されているようなＩＰフレームはキャプチャされ、その後ＩＰフレームは非カプセル化されて、例えばＷｉｒｅｓｈａｒｋによって可視化が可能なＷｉ−Ｆｉパケット・ストリームを提供する。
【００２６】
従って、本発明は、無線アプリケーションの使用中のデバッギングを可能にする。オペレータが、今、ネットワーク上での侵入行為を必要とせずに、又はエンドユーザの住宅用ゲートウェイ１への物理的アクセスを持つことを必要とせずに、エンドユーザの住宅用ゲートウェイ１で進行中のものを正確に分析することができる。この方法はエラー又は解釈の不確実性の余地を残さないので、これは従来の＜＜スニファー（sniffer）＞＞または＜＜キャプチャ＞＞の手法と比べて驚異的な前進である。現状の方法は、パケットが分析機器によって受信されるときに、＜＜良いビュー（good view）＞＞又は＜＜ベスト・エフォート推定＞＞が保証されるだけであり、分析機器が、ネットワーク内のＡＰ又は他のＷｉ−Ｆｉノードとして実際の同じパケット交換を受信するという厳格な保証はない。
【００２７】
ネットワーク・サービス・オペレータのサポート・ネットワークは、これから大きな利益を得ることができる。なぜなら、ＴＲ−０６９又はＳＮＭＰなどの既存のリモート管理システムによるリモート住宅用ゲートウェイに対する変更は、ユーザ・フィードバック無しに直接検証することができるからである。オペレータは、自動でも住宅用ゲートウェイ１全体を再構成することができ、フィードバックを監視ストリームに見られる結果から検索する。
【００２８】
同様に、デベロッパーは、面倒な＜＜スニファー＞＞のセットアップ又は高価なＲＦキャプチャ機器を買う必要はない。なぜなら、監視ストリームを、試験用のＷｉ−Ｆｉノード、例えば住宅用ゲートウェイ１によってキャプチャし、既存の分析アプリケーションで見ることができるからである。セキュリティが問題になる場合、暗号化（encryption）を、監視ストリーム上の住宅用ゲートウェイ１に追加することができるが、監視ユニットは対応する復号化（de-encryption）を適用する必要がある。
【００２９】
分析は、無線ＬＡＮのノードの１つを通して見られる実際のリンクが分析されているとき、１００％正確である。これは、考察する上で非常に重要な事項である。外部装置上のスニファーは、監視されているネットワークの実際のＡＰ／ＳＴＡノードとは異なったＲＦ環境で「見る（look）」ことがある。ある程度、このような分析は有効であるが、ＡＰ又はＳＴＡの装置の特定の特徴又は欠陥は、例えば、より望ましいＲＦ信号をもたらしたビーム形成、正確なデバッグを阻む暗号化技術、又はスニファー・ハードウェア又はソフトウェアに統合されていない物理層の特徴、などの課題を作る場合、スニファーの使用は徒労に終わる。分析は、ネットワークの「目と耳を通して（through the eyes and ears）」行う必要がある。ＡＰがネットワークの制御下にあり、通常は、高度な監視方法の優良取引先である通信事業者によって管理されるので、全ての監視方法は、このネットワーク・ノードによって処理される。従って、ＡＰを通した無線ＬＡＮのデバッギング又は分析が鍵となる。本発明を用いて、Ｗｉ−Ｆｉリンクは物理層レベルで正確に分析されるが、それは問題が発見されるまさにその場所だからである。
【００３０】
本発明の他の実施形態も、本発明の要旨を逸脱しない範囲で同業者によって利用されることができる。説明してきたこの方法は、Ｗｉ−Ｆｉを用いるあらゆるＣＰＥ装置に特に使用されることができる。従って、本発明は添付の請求項内にある。
［付記１］
加入者宅内設備装置（１）のＷｉ−Ｆｉノードの無線リンクを監視する方法であって、前記Ｗｉ−ＦｉノードはＷｉ−Ｆｉソフトウェア・ドライバ（２）および送信／受信バッファ（５、６）を有する物理層（３）を含み、
複製したパケットのタイム・スタンプを含めることで、前記送信／受信バッファ（５、６）を通して受信パケットおよび送信パケットを複製するステップと、
前記複製したパケットを監視ユニット（２０）に送るステップと、
を有する、前記方法。
［付記２］
前記Ｗｉ−Ｆｉソフトウェア・ドライバ（２）のＲｘ／Ｔｘ制御（９）を含めることによってデータ・パケットを複製して、パケット・タイミングを含む前記Ｗｉ−Ｆｉノードの正確なパケット交換を取得するステップを有する、付記１に記載の方法。
［付記３］
前記監視ユニットに送る前に、前記加入者宅内設備装置（１）内で単一ＩＰフレーム（２２）に複製したパケット・ストリームの各パケットをカプセル化するステップを有する、付記１又は２に記載の方法。
［付記４］
前記送信／受信バッファ（５、６）を通過する全ての受信パケットおよび全ての送信パケットを複製し、全ての複製したパケットを前記監視ユニット（２０）に送るステップを有する、付記１乃至３のいずれかに記載の方法。
［付記５］
前記複製した受信パケットおよび送信パケットを、並列パケット・ストリームとして監視ユニット（２０）に送るステップを有する、付記１乃至４のいずれかに記載の方法。
［付記６］
前記複製したパケットを、前記加入者宅内設備装置（１）のディジタル加入者線接続を介して、ネットワーク・サービス・プロバイダの監視ユニットに送るステップを有する、付記１乃至５のいずれかに記載の方法。
［付記７］
加入者宅内設備装置（１）のＷｉ−Ｆｉノードの無線リンクを監視する方法であって、前記Ｗｉ−ＦｉノードはＷｉ−Ｆｉソフトウェア・ドライバ（２）および送信／受信バッファ（５、６）を有する物理層（３）を含み、
前記送信／受信バッファ（５、６）を通過するパケットを複製するステップと、
前記複製したパケットを監視ユニット（２０）に送るステップと、
を有する、前記方法。
［付記８］
前記Ｗｉ−Ｆｉソフトウェア・ドライバ（２）のＲｘ／Ｔｘ制御（９）を含めることによってデータ・パケットを複製して、パケット・タイミングを含む前記Ｗｉ−Ｆｉノードの正確なパケット交換を取得するステップを有する、付記７に記載の方法。
［付記９］
前記監視ユニット（２０）に送る前に、前記加入者宅内設備装置（１）内で単一ＩＰフレーム（２２）に前記複製したパケット・ストリームの各パケットをカプセル化するステップを有する、付記７又は８に記載の方法。
［付記１０］
付記１乃至９のいずれかに記載の方法を利用する加入者宅内設備装置（１）。
［付記１１］
Ｗｉ−Ｆｉソフトウェア・ドライバ（２）および送信／受信バッファ（５、６）を有する物理層（３）を含むＷｉ−Ｆｉノード、前記送信／受信バッファ（５、６）を通過するパケットを複製するＷｉ−Ｆｉ監視アプリケーション（１０）、および前記複製したパケットを監視ユニット（２０）に送る監視データ・パス（１１）を備えた、付記１０に記載の加入者宅内設備装置。
［付記１２］
前記加入者宅内設備装置は、住宅用ゲートウェイ、ルータ、スイッチ、セット・トップ・ボックス又は他のＷｉ−Ｆｉ加入者宅内設備装置である、付記１０又は１１に記載の加入者宅内設備装置。
［付記１３］
前記加入者宅内設備装置は、住宅用ゲートウェイである、付記１０又は１１に記載の加入者宅内設備装置。
［付記１４］
ブロードバンド・サービスを配信するディジタル加入者線を介してサービス・プロバイダへ接続するために設計された、付記１０乃至１３のいずれかに記載の加入者宅内設備装置。
【図１】
0006491091.tif 000002
【図２】
0006491091.tif 000003